(57)【特許請求の範囲】
【請求項１】
ｘwt％のベンジルアルコール(B)の水溶液中の、ｙwt％の少なくとも１種のアニオン染料(A)及びｚwt％の少なくとも１種の配合添加剤(F)の溶液であり、ここで
ｘが0.5〜４であり、
ｙが12〜30であり、
ｚが０〜２であり、
(A)が酸性染料、直接染料、媒染染料及び反応染料からなる群より選択され、
(F)が(F1)抗微生物剤、及び／又は(F2)ｐＨを調整するための、少なくとも１種の酸、少なくとも１種の塩基及び／又は少なくとも１種の緩衝液であり、
(B)以外のアルコール並びに水及び(B)以外の溶媒もしくは溶解剤を含まないか、又は(B)以外のアルコール並びに水及び(B)以外の溶媒もしくは溶解剤が存在する場合、その比率は(B)の10wt％を超えない濃厚染料組成物(P)。
【請求項２】
基材を染色もしくは着色するための、請求項１記載の組成物(P)の使用。
【請求項３】
着色プラスチック組成物(Sp)（このプラスチックは水溶性ポリマー(S)である）の製造のための、請求項２記載の使用。
【請求項４】
プリントペーストもしくはインクを製造するための、または易流動性材料を着色するための、請求項２又は３記載の使用。
【発明の詳細な説明】
【０００１】
水溶性アニオン染料を使用するためには、産業においては液体組成物が好ましい。水溶性の高いアニオン染料においても、染料を高濃度で、完全に溶解した形態で含み、及び／又は十分に安定であり、特に貯蔵及び輸送安定であり、またスプレーの間のような塗布の間においても安定である濃厚な水性溶液を製造することは通常常に可能ではないため、このような水／有機濃厚染料溶液を製造するために有機溶媒及び所望により可溶化剤が用いられてきた。このタイプの水／有機染料溶液は、この溶液を例えばスプレーや他の同様の方法によって直接用いる場合に特に好ましい。
【０００２】
例えば、GB-A-1545529、EP-A-508443及びJP-A-07-118585より、水／有機溶液の有機成分として、アルコールもしくはピロリドンもしくはヒドロトロープのカテゴリーに属する溶媒を用いてこのタイプの溶液を製造することが知られている。
【０００３】
GB-A-1545259では、ある種のジアゾ染料の水／有機溶液の製造用にN-メチルピロリドン、ベンジルアルコール及びウレアの混合物を用いており、N-メチルピロリドンとウレアの総量はベンジルアルコールの量よりも多く、染料は純粋な生成物として又は湿プレスケーキとして用いられるが、染料製造からの副生成物のような塩は液体組成物に不安定な特性を与えることが記載されており（１頁40〜41行）、従って染料プレスケーキを塩酸中で海水脱塩することが好ましい（例１では酸性プレスケーキ中において１％までの塩）。
【０００４】
EP-A-508443には、ある種のアニオン染料の水／有機溶液が記載されており、水／有機相の量が75〜85wt％であり、その50％以下が水であり、有機相は単、二もしくは三官能性アルコールからなり、さらに有機溶媒、例えばジオキサン、2-ピロリドン、メチルラクテート、エチルラクテート及びブチルラクテートが存在してもよい。この文献には、組成物の安定性は水の比率が水／有機相の50％を超える場合に得られることが記載されている（６頁、46〜47行）。
特開平７−118585号明細書には、同様の成分を含むジェットプリントインクが記載されている。
【０００５】
US-A-4816244には、ある種の天然染料の希釈溶液を製造するためのある種のＣ4-8アルコール（トリヒドロキシペンタン、トリヒドロキシヘキサン及びベンジルアルコールが示されている）及び他のアルコール（グリセロール、エチレングリコール、プロピレングリコール、エチレングリコールモノメチルエーテル、エタノール、プロパノール及びジエチレングリコールが示されている）とのその混合物が記載されており、すべての実施例は１種もしくは２種の他の脂肪族アルコールとの混合物において三官能性アルコール（トリヒドロキシヘキサン）を用いており、染料に比較して過剰のアルコールもしくはアルコール混合物が実施例において用いられており、さらに0.01〜10.0％の染料濃度においてアルコールを安定化する有利な特性が得られることが記載されている（カラム２、15〜17行）。
【０００６】
EP-A-122224には、モノ及びジもしくはトリ（Ｃ2-4アルカノール）アミンの混合物の存在下において水性アルカリ性媒体中で4-ニトロトルエン-2-スルホン酸を縮合させ、さらに縮合後にジもしくはトリ（Ｃ2-4アルカノール）アミンを添加し、次いで膜を通して濾過により又はアルカリ金属イオンを除去するための酸性イオン交換樹脂もしくは酸による処理によって脱塩することによる脱塩した黄色スチルベンアゾ（キシ）染料溶液の製造方法が記載されているが、過剰のアルカノールアミンは除去されず、この明細書において、存在してもよい助剤、すなわちホルムアミド、ジメチルホルムアミド、グリコール、ジエチレン及びトリエチレングリコール及びそのモノもしくはジアルキルエーテル、さらに分子量が400〜4000であるポリエチレングリコールもしくはベンジルアルコール、さらに染料溶液に対して35wt％以下の濃度のウレアが記載されている。その実施例には、多量（約20もしくは30％）のウレアを含む染料溶液のみが記載されており、これは存在する染料の量よりもかなり多い。またこの文献には、GB-A-1545529と同様に、脱塩することが必要であり、多量の助剤を含む染料組成物も記載されており、この助剤はEP-A-122224においてはウレアである。
【０００７】
上記の従来技術より、ある種のアニオン染料の安定な水／有機溶液を製造することが何度も試みられ、有機溶媒及び／又は安定剤のある種の組み合わせが必要であり、ある場合には精製工程も必要であることが明らかであり、GB-A-1545524では染料（例えばプレスケーキとしての）が塩を含む濃厚溶液に対して好ましく、EP-A-508443では有機溶媒含有量が50％未満である濃厚溶液に対して好ましく、US-A-4816244では染料を10％より多く含む溶液に対して好ましい。染料含有量が高い、特に10wt％以上である水溶性アニオン染料の安定な水／有機溶液を見出すため、従来解決されなかった問題は有機相の含有率がかなり低いことである。
【０００８】
驚くべきことに、とても少量のベンジルアルコールを用い、他のアルコール又は他の有機溶媒もしくは安定剤を本質的に添加することなく、特に安定性が優れ（例えばその合成からの副生成物としての塩を含んでいても）、より希釈された水溶液と同様の流動性を有し、基材の染色もしくは着色のための間接的もしくは直接使用に適した、以下に記載の水溶性アニオン染料の濃厚水性ベンジルアルコール含有溶液が見出された。
【０００９】
本発明は、その溶液、その製造、その使用及びこれによって処理された基材、特に非繊維親水性基材に関する。
【００１０】
本発明の第一の主題は、水中のｘwt％のベンジルアルコール(B)の溶液中のｙwt％の少なくとも１種のアニオン染料(A)、及びｚwt％の少なくとも１種の配合添加剤(F)の溶液であり、ここで
ｘが0.5〜４であり、
ｙが５〜35であり、
ｚが０〜２であり、
(B)以外のアルコール並びに水及び(B)以外の溶媒もしくは溶解剤を本質的に含まない濃厚染料組成物(P)である。
【００１１】
アニオン染料(A)としては、あらゆるアニオン染料が考慮され、特にアルコール性ヒドロキシル基に対して不活性であるものであり、原則として
(A1)酸性染料、
(A2)直接染料、
(A3)媒染染料、及び
(A4)反応染料（所望により加水分解形態である）
である。
【００１２】
酸性染料、直接染料、媒染染料及び反応性染料としては、これらの用語において知られている染料が考慮され、例えば「カラーインデックス」において「酸性染料」、「直接染料」、「媒染染料」及び「反応性染料」と命名されているものである。反応性染料の加水分解形態は、構造は反応性染料と一致するが、繊維反応性置換基（例えば、Ｆ、Ｃｌ、Ｂｒもしくはスルファト基）がアルカリ（例えばＮａＯＨ）の存在下においてＯＨに転化されたこと、又は（例えばビニルスルホニル基への）水付加によってＯＨ基を含むことが異なるものを意味する。前記の染料のカテゴリーのうち、酸性染料(A1)が好ましい。染料(A)、特に(A1)は原則として少なくとも１つのスルホ基を所望により塩形態で含み、所望により他の酸基（例えばカルボキシル基及び／又はリン酸基）を所望により塩形態で含むものである。染料(A)、特に(A1)は所望の従来のカテゴリーのいずれに属していてもよく、例えばアントラキノン、モノアゾ、ジスアゾ、トリフェニルメタン、キノフタロンもしくはキサンテン類からの染料であってもよい。染料(A)、特に(A1)は分子サイズが比較的小さいことが好ましく、例えば遊離酸もしくは内部塩の形態のその分子量は300〜1000、好ましくは340〜800である。これらの染料は有利には分子内に１〜４個のスルホ基を含む。酸基、特にスルホ基の数は、有利にはこの染料、特に塩形態の染料が容易に水溶性となるに十分な数である。(A)、特に(A1)の水溶性は、例えば室温（＝20℃）において10g/l以上、好ましくは20g/l以上、特に好ましくは40g/l以上である。有利には、(A1)の分子内のスルホ基あたり平均１〜３個、好ましくは1.5〜２個のベンゼン環が存在する。アゾ染料のうちでは未縮合のものが好ましく、ジスアゾ染料およびモノアゾ染料のうちではモノアゾ染料が好ましい。
【００１３】
本発明の染料組成物(P)において、(A)としては１種の染料又は２種以上の染料（有利には同じカテゴリーのもの）の混合物を用いることができる。
【００１４】
アニオン染料(A)において、それぞれのアニオン基、特に酸基は遊離酸の形態、もしくは好ましくは塩形態、特に好ましくは非発色カチオンの塩の形態、有利には染料を水溶性にするそのような塩もしくはカチオンの塩の形態であり、この染料塩は水溶性となる。対イオンとしては、特にカチオン、例えばアルカリ金属カチオン、アンモニウムカチオン、及びアルカリ土類金属カチオンが考慮される。アルカリ土類金属カチオンとしては、例えばカルシウム及びマグネシウムが例示される。アンモニウムカチオンとしては、未置換アンモニウムもしくは低分子量アミンのアンモニウムイオ、例えばモノ、ジもしくはトリ-(Ｃ1-2アルキル)-及び／又は-(β-ヒドロキシ-Ｃ2-3-アルキル）アンモニウム、例えばモノ、ジもしくはトリイソプロパノールアンモニウム、モノ、ジもしくはｔリエタノールアンモニウム及びN-メチル-N-エタノールアンモニウムが例示される。アルカリ金属カチオンとしては、従来からのこのタイプのカチオン、例えばリチウム、ナトリウム及び／又はカリウムイオンが例示される。イオンとしての水素はヒドロニウムイオンの形態である。前記カチオンのうち、アンモニウムカチオン及び特にアルカリ金属カチオンが好ましい。
【００１５】
アニオン染料(A)は(B)のｘ％水溶液に溶解される。ｘwt％の濃度は好ましくは１〜４wt％である。(B)の水溶液中のｙwt％のアニオン染料(A)、好ましくは(A1)の濃度は好ましくは10wt％よりも高く、有利には12〜30wt％、特に15〜28wt％である。
【００１６】
染料(A)は所望によりその製造及び／又は配合からの副生成物及び／又は添加剤を少量含む。例えば外部からの電解質（特にその製造からの希釈剤及び／又は無機塩）、例えば塩化ナトリウム、硫酸ナトリウム、炭酸ナトリウムもしくは塩化カリウム、を(A)を基準として30wt％以下、例えば１〜24wt％含む。(A)が含む無機塩もしくは他の添加剤は好ましくは10wt％未満である。好ましい態様によれば、(A)は精製された染料、特に膜精製された染料（すなわち外部電解質及び他の副生成物の透析により溶解された形態の実質的に精製され、所望により乾燥されたもの）が用いられる。
【００１７】
配合添加剤(F)としては、水溶液の配合に通常用いられるものが考慮され、特に(F1)抗微生物剤、及び／又は(F2)ｐＨ調整用の少なくとも１種の酸、少なくとも１種の塩基、及び／又は少なくとも１種の緩衝液である。
【００１８】
(F1)としては、微生物の有害な作用に対して保護するために一般に用いられている公知のものであり、原則として微生物の生育を抑制するもの、あるいは殺微生物剤、特に殺カビ剤を用いることが可能である。これは低濃度で、例えば0.01〜１、特に0.05〜0.5のｚで用いられる。
【００１９】
(F2)としては、染料組成物のｐＨ調整に一般に用いられている酸、塩基もしくは緩衝液、例えば無機酸（例えば塩酸、硫酸もしくはリン酸）、例えば１〜６個の炭素原子を有する低分子量脂肪族カルボン酸（例えば蟻酸、酢酸、乳酸もしくはクエン酸）、又は塩基（例えばアルカリ金属水酸化物もしくはカーボネート）、又は脂肪族低分子量アミン、例えば上記酸基の対応する塩を形成するために用いられるもの（このうち、アンモニアもしくはトリエタノールアミンが好ましい）を用いることが可能である。
【００２０】
濃厚染料組成物(P)のｐＨは通常所望の値であってよく、有利には５〜11、好ましくは６〜10、特に好ましくは７〜10である。
【００２１】
「(B)以外のアルコール並びに水及び(B)以外の溶媒もしくは溶解剤を本質的に含まない」とは、(B)以外のアルコール並びに水及び(B)以外の溶媒もしくは溶解剤が存在しないか又は少量、例えば染料不純物として存在してよいかもしくは(B)を基準としてその比率が低く、好ましくは(B)の10wt％を超えず、より好ましくは(B)の２wt％であることを意味する。
【００２２】
本発明の染料組成物(P)は、成分を混合することにより、特に少なくとも１種の染料(A)を(B)の水溶液と及び所望により(F)と混合することにより、又は(B)を(A)の対応する濃厚溶液及び／又は懸濁液と混合し、所望により(F)を混合することによる簡単な方法で製造される。反応性染料(A4)を用いる場合、所望により繊維反応性置換基をアルカリ性条件下、たとえばアルカリ金属水酸化物もしくは炭酸塩により同時に加水分解してもよい。
【００２３】
第一の態様において、染料(A)は市販の形態である乾燥染料の形態で、又は好ましくは湿ったもしくは乾燥したフィルターケーキとして、又は透析した溶液として（これは所望により乾燥してもよい）用いられる。第二の態様において、(A)の水溶液は、例えばそれぞれの粗染料溶液の膜濾過より得られるものであってよく、ここで染料は高温、例えば30〜80℃、好ましくは40〜60℃においていまだ溶解しており、又は室温においては一部沈殿していてもよく、例えば少なくとも一部は懸濁液の形態であってもよく、次いで(B)を添加することによって再溶解される。(A4)中の繊維反応性置換基の加水分解は同時に行ってよく、好ましくは例えばｐＨ10〜12における透析の前に行われる。(F)の添加はいずれの時点で行ってもよく(F1)の添加は、有利には(A)が溶解した際に、有利には透析後に行われ、(F2)の添加は透析の前もしくは後、及び／又は(B)の添加の前もしくは後におこなってよい。
【００２４】
本発明の組成物(P)、特に上記のようにして製造されたもの、はその驚くべき安定性によって区別され、例えばこれはとても貯蔵安定でありかつ輸送安定であり、取扱いが容易である。これはまた、例えばノズルを通してスプレーする間のような強力な動的応力下での適用の間に生ずるような条件においてもとても安定である。これは染料(A)を繊維材料（例えば織物材料）の染色に、特に非繊維基材の着色に用いることができるあらゆる所望の染色法及び着色法に用いることがデイ、染料(A)は(P)の形態で染料液、インクもしくはペーストの残りの成分と直接混合し、基材によっては直接適用することができる。
【００２５】
非繊維基材とは、アルミニウムもしくはアルミニウム合金、易流動性相量、又はポリマー含有組成物もしくはコーティング上に人工的に形成された酸化物層のような繊維を含まないあらゆる基材、特に親水性基材を意味する。特に好ましい基材はプラスチック組成物(S)、特に親水性のものである。
【００２６】
プラスチック組成物(S)のコーティングについて、例えば洗剤もしくは化粧品のような着色組成物に用いられているような水溶性プラスチックもしくはポリマー(S')を用いることが可能である。原則として、エチレン系不飽和Ｃ3-8モノカルボン酸及び所望によりＣ4-8ジカルボン酸、ポリアルキレングリコール（原則としてポリエチレングリコール）又はポリエーテルウレタンのポリマー及びコポリマーが例示される。これらのポリマーの平均分子量Ｍｗは様々であってよく、ポリカルボン酸については例えば5000〜5,000,000、有利には50,000〜200,000、ポリアルキレングリコール、特にポリエチレングリコールについては400〜6000、好ましくは600〜4000、ポリエーテルウレタンについては10,000〜108、特に105〜107である。
【００２７】
洗剤において用いられる得に好ましいポリマー及びコポリマー(S')は、ポリカルボン酸、特に（メタ）アクリル酸及び所望によりマレイン酸の（コ）ポリマーである。不飽和ジカルボン酸に対する不飽和モノカルボン酸のモル比は、有利には５／５〜９／１、好ましくは６／４〜８／２である。不飽和ジカルボン酸は有利には無水物として用いられる。ポリカルボン酸は有利にはそのアルカリ金属塩、例えばリチウム、ナトリウムもしくはカリウム塩の形態で用いられ、ナトリウム塩が好ましい。
【００２８】
これらのポリマー(S')は、アルカリ金属塩の形態において水溶性である（すなわち少なくとも適用条件において水溶液もしくはコロイドを形成する）。
【００２９】
対応する染料含有ポリマー組成物(Sp)の製造のため、ポリマー(S)は有利には、例えば５〜80wt％、好ましくは15〜50wt％の濃度の濃厚な水溶液の形態で(P)と混合され、所望によりそれぞれの用途に適しておりそれぞれの産業分野において一般的である他の添加剤と混合される。こうして製造された混合物は直接用いることができ、又は所望により乾燥し、粉砕して、例えば粉末もしくは粒状物質にしてもよい。他の好ましい方法によれば、事前に形成したポリマー粒子(S')を(P)とスプレーしてもよい。
【００３０】
本発明の主題は組成物(P)、特に易流動性着色粒状材料（例えば上記のポリマー中の）としての洗剤中の青、赤及び／又は緑色のものの使用であり、これは着色粒子として非染料含有洗剤粒状材料と混合され、又はすべての洗剤成分と混合され、これは液体洗剤又は粒状洗剤のいずれの形態であってもよい。
【００３１】
洗剤添加剤として適しておりかつポリマーとしてポリカルボン酸を含む着色ポリマー粒状材料の好適な組成物は、有利には10〜70wt％、好ましくは20〜40wt％のポリカルボン酸をナトリウム塩として含み、（染料の分のｗwt％を差し引いた）100wt％までの残余の混合塩、好ましくはグラウバー塩を含み、さらにｗwt％の染料(A)を含むものである。この染料は混入もしくはスプレーされ、明確な色、好ましくは青、赤、紫もしくは緑色を与え、原則として0.005〜0.5wt％、好ましくは0.01〜0.2wt％である。
【００３２】
染料は洗剤中に最小の比率で存在する。洗剤の残りの成分に対する着色粒子の質量比は、例えば0.01／99.99〜２／98、好ましくは0.05／99.95〜１／99である。本発明により用いられる組成物(P)は洗剤に存在してもよい蛍光増白剤に悪影響を与えず、かつアニオン洗剤蛍光増白剤との相溶性が高い。この洗剤を、洗剤組成物によって形成されるアルカリ性条件において繊維製品の洗浄に用いる場合、染料はほとんど基材に取り込まれず、これは同じ洗浄操作において又はその後の洗浄操作において洗浄除去されることを意味する。
【００３３】
本発明の他の主題は、(P)により着色された水溶性ポリマー組成物により表され、特に易流動性粒状材料(Sp)である。
【００３４】
組成物(P)は、一般的な添加剤（例えば増粘剤もしくはキャリヤ物質）を用いてプリントペーストもしくはインク、特にジェットプリントインクの製造に、又は従来の染色方法を用いる方法陽極酸化アルミニウムの染色もしくは繊維基材、例えば親水性基材、特にセルロース含有基材（例えばコットン、ビスコース、紙及び不織布）、天然ポリアミド（ウール、シルク及び皮革）及び合成繊維（ポリアミド及びポリウレタン）並びにこれらの繊維の混合物の染色に用いることができる。
【００３５】
以下の例において、部は質量部であり、パーセントは質量パーセントであり、温度は摂氏である。例中のフィルターケーキ中の「残留塩」又は「塩含有量」は染料合成からの副生成物としての無機塩（ほとんど塩化ナトリウム、臭化ナトリウム及び／又は硫酸ナトリウムである）である。
【００３６】
例１
100部の水中の３部のベンジルアルコールの溶液を室温（＝20℃）においてセットし、10％残留塩を含むナトリウム塩としての下式
【化１】
0004598341.tif 000002
の染料の洗浄し乾燥したフィルターケーキを20部入れ、この混合物を透明な溶液が形成するまで攪拌した。青色の貯蔵安定な溶液が得られた。ｐＨ＝7.5〜8.5。
【００３７】
洗浄し乾燥したフィルターケーキの代わりに、硫酸ナトリウム含有率が20％である対応する量の市販入手可能な製品を用いることも可能である。
所望により、ｐＨ＞12の1,2-ベンズイソチアゾリン-3-オンをベースとする水性殺微生物剤を0.4部混合してもよい。得られる生成物のｐＨは8.5〜9.5である。
【００３８】
例２
水含有率が60％、塩含有率が４％であるナトリウム塩としての式(I)の染料の洗浄した湿ったフィルターケーキ100部を室温において140部の水で希釈した。得られた混合物に６部のベンジルアルコールを攪拌し、この混合物をさらに透明な溶液が形成するまで室温でさらに攪拌した。青色の貯蔵安定な溶液が得られた。ｐＨ＝7.5〜8.5。
【００３９】
例３
水含有率が60％、塩含有率が４％であるナトリウム塩としての式(I)の染料の洗浄した湿ったフィルターケーキ100部を80℃において140部の水で希釈し、染料が溶解するまで攪拌した。得られた溶液に６部のベンジルアルコールを攪拌し、染料溶液を冷却した。青色の貯蔵安定な溶液が得られた。
【００４０】
例４
水含有率が60％、塩含有率が４％であるナトリウム塩としての式(I)の染料の洗浄した湿ったフィルターケーキ100部を60℃において140部の水と６部のベンジルアルコールの混合物で希釈し、透明な溶液が形成するまで攪拌し、次いで染料溶液を冷却した。青色の貯蔵安定な溶液が得られた。
【００４１】
例1(a)、1(b)、2(a)、2(b)、3(a)、3(b)、4(a)及び4(b)
式(I)の青色酸性染料と同様にして、下式の黄色酸性染料（いずれもナトリウム塩として）を例１〜４において用いた。黄色の貯蔵安定な溶液が得られた。
【化２】
0004598341.tif 000003
【００４２】
例1(c)、1(d)、2(c)、2(d)、3(c)、3(d)、4(c)及び4(d)
式(I)の青色酸性染料と同様にして、下式の橙色酸性染料（いずれもナトリウム塩として）を例１〜４において用いた。橙色の貯蔵安定な溶液が得られた。
【化３】
0004598341.tif 000004
【００４３】
例1(e)、1(f)、2(e)、2(f)、3(e)、3(f)、4(e)及び4(f)
式(I)の青色酸性染料と同様にして、下式の赤色酸性染料（いずれもナトリウム塩として）を例１〜４において用いた。赤色の貯蔵安定な溶液が得られた。
【化４】
0004598341.tif 000005
【００４４】
例1(g)、1(h)、1(i)、1(l)、2(g)、2(h)、2(i)、2(l)、3(g)、3(h)、3(i)、3(l)、4(g)、4(h)、4(i)及び4(l)
式(I)の青色酸性染料と同様にして、下式の青色酸性染料（いずれもナトリウム塩として）を例１〜４において用いた。青色の貯蔵安定な溶液が得られた。
【化５】
0004598341.tif 000006
【００４５】
例５
100部の水中の４部のベンジルアルコールの溶液を室温においてセットし、ナトリウム塩としての式(1)の染料の洗浄し乾燥したフィルターケーキ10部及び式(2)の染料の洗浄し乾燥したフィルターケーキ15部を入れ、この混合物を透明な溶液が形成するまで攪拌した。緑色の貯蔵安定な溶液が得られた。ｐＨ＝7.5〜8.5。
所望により、ｐＨ＞12の1,2-ベンズイソチアゾリン-3-オンをベースとする水性殺微生物剤を0.4部混合してもよい。得られる生成物のｐＨは8.5〜9.5である。
【００４６】
水含有率が60％、塩含有率が４％であるナトリウム塩としての式(1)の染料の洗浄し湿ったフィルターケーキ50部及び水含有率が60％、塩含有率が４％であるナトリウム塩としての式(2)の染料の洗浄し湿ったフィルターケーキ75部を室温において125部の水で希釈した。得られた混合物に８部のベンジルアルコールを攪拌し、この混合物を室温において透明な溶液が形成するまで攪拌した。緑色の貯蔵安定な溶液が得られた。
【００４７】
例７
水含有率が60％、塩含有率が４％であるナトリウム塩としての式(1)の染料の洗浄し湿ったフィルターケーキ50部及び水含有率が60％、塩含有率が４％であるナトリウム塩としての式(2)の染料の洗浄し湿ったフィルターケーキ75部を80℃において125部の水で希釈し、染料が溶解するまで攪拌した。得られた溶液に８部のベンジルアルコールを攪拌し、この染料溶液を冷却した。緑色の貯蔵安定な溶液が得られた。
【００４８】
例８
水含有率が60％、塩含有率が４％であるナトリウム塩としての式(1)の染料の洗浄し湿ったフィルターケーキ50部及び水含有率が60％、塩含有率が４％であるナトリウム塩としての式(2)の染料の洗浄し湿ったフィルターケーキ75部を60℃において125部の水と８部のベンジルアルコールの混合物で希釈し、透明な溶液が形成するまで攪拌し、次いでこの染料溶液を冷却した。緑色の貯蔵安定な溶液が得られた。
【００４９】
例5(a)、5(b)、5(c)、5(d)、6(a)、6(b)、6(c)、6(d)、7(a)、7(b)、7(c)、7(d)、8(a)、8(b)、8(c)及び8(d)
式(1)の青色酸性染料と同様にして、式(8)、(9)、(10)もしくは(11)の青色酸性染料を例５〜８において用い、緑色の貯蔵安定な溶液が得られた。
【００５０】
例5(e)、5(f)、5(g)、5(h)、5(i)、6(e)、6(f)、6(g)、6(h)、6(i)、7(e)、7(f)、7(g)、7(h)、7(i)、8(e)、8(f)、8(g)、8(h)及び8(i)
式(2)の黄色酸性染料と同様にして、式(3)の黄色酸性染料を例５〜８(d)において用い、緑色の貯蔵安定な溶液が得られた。
【００５１】
例5(k)、5(l)、5(m)、5(n)、6(k)、6(l)、6(m)、6(n)、7(k)、7(l)、7(m)、7(n)、8(k)、8(l)、8(m)及び8(n)
式(1)の青色酸性染料と同様にして、式(6)もしくは(7)の赤色酸性染料を例５〜８において用い、橙色の貯蔵安定な溶液が得られ、又は式(3)もしくは(4)の橙色酸性染料を用い、橙黄色の貯蔵安定な染料溶液が得られた。
【００５２】
例９
固体含有率が20％である、水溶液中でジアゾ化スルファニル酸とβ−ナフトールとのカップリングより得られる、ナトリウム塩としての式(4)の橙色賛成染料の溶液100部を、60℃において2.4部のベンジルアルコールと混合し、得られた透明な溶液を室温に冷却した。橙色の貯蔵安定な染料溶液が得られた。ｐＨ＝7.5〜8.5。
【００５３】
例１０、１１及び１２
この方法は例９と同様であるが、式(4)の橙色酸性染料のカップリング溶液の代わりに式(5)の橙色酸性染料、式(3)の黄色酸性染料又は式(6)の赤色酸性染料のカップリング溶液をナトリウム塩として用いた。橙色、黄色又は赤色の貯蔵安定な染料溶液が得られた。
【００５４】
適用例Ａ
100部あたり18〜22部の硫酸及び1.2〜7.5部の硫酸アルミニウムを含む水溶液中において18〜20℃の温度、15〜16ボルトの電圧及び1.5A/dm2の電流密度において直流により、脱脂し脱酸化したアルミニウム片を40〜50分間、陽極酸化した。厚さ約20〜24μｍの酸化物層が形成された。水で洗浄後、陽極酸化されたアルミニウムシートを、酢酸及び酢酸ナトリウムでｐＨを5.5に調整した、1000部の脱イオン水中の2.5部の例１の染料溶液からなる溶液中で60℃において15分間染色した。水で洗浄後、染色されたアルミニウムシートを脱イオン水中で98〜100℃において40〜50分間シールした。光堅牢性に優れた青色染色が得られた。
【００５５】
適用例Ｂ
この方法は適用例Ａと同様であるが、同じ条件において1000部の水中の３部の酢酸ニッケルの溶液中で後処理を行うことが異なる。光堅牢性に優れた青色染色が得られた。
【００５６】
適用例Ｃ
例１からの染料溶液50部を450部の水に溶解し、置換度が1.5である100部のメチルセロソルブ及び400部の水からなる高粘性溶液に攪拌した。こうして得られたプリントインクをスクリーン印刷により、1.2A/dm2の電流密度及び53℃において1000部の水中の100部の無水クロムの溶液中で30分間、Ａｌ／Ｍｇ／Ｓｉのアルミニウム合金を陽極酸化することにより得られた乾燥した酸化アルミニウムシートに塗布した。プリントされたシートを沸騰水中に10分間浸漬し、冷水でよく洗浄した。弱灰色の背景上の青色パターンが得られた。
適用例Ａ、Ｂ及びＣにおいて、例１の染料溶液と同様にして例２〜１２の染料溶液を用い、それぞれの色の染色が得られた。
【００５７】
適用例Ｄ
平均分子量Ｍｗ＝70,000の、モル比が７／３であるアクリル酸とメタクリル酸のコポリマー（ナトリウム塩）の40％溶液100部を120部のグラウバー塩及び0.15部の例１で製造した染料溶液と混合し、得られた組成物を押出圧縮機／グラニュレーターにおいて押出し、粉砕した（0.3〜２mmの粒度）。得られた粒状物質は青色であり、洗剤粒子用の青色粒子として用いることができる。例えば、EMPA Article No.602による組成物を含む洗剤（リンを含まない洗剤、IEC Reference Detergent Type A）がこの目的に適している。同じ粒度の洗剤99.5部を0.5部の青色粒子と混合した。
【００５８】
適用例Ｅ
平均分子量Ｍｗ＝70,000の、モル比が７／３であるアクリル酸とメタクリル酸のコポリマー（ナトリウム塩）の40％溶液100部を120部のグラウバー塩と混合し、得られた組成物を押出圧縮機／グラニュレーターにおいて押出し、粉砕した（0.3〜２mmの粒度）。得られた粒状物質に0.05部の例１で製造した染料溶液を均一にスプレーした。こうして着色された粒状物質は青色であり、洗剤粒子用の青色粒子として用いることができる。例えば、EMPA Article No.602による組成物を含む洗剤（リンを含まない洗剤、IEC Reference Detergent Type A）がこの目的に適している。同じ粒度の洗剤99.5部を0.5部の青色粒子と混合した。
【００５９】
例１の染料溶液に代えて、例２〜４又は1(e)〜8(i)の染料溶液を同様に用いて、青色、赤色もしくは緑色粒子を製造し、又は青色の混合物（例１〜４、1(g)〜4(l))を用いて紫色の粒子を製造した。
【００６０】
適用例Ｆ
例１の染料溶液10部を75部の脱イオン水及び15部のジエチレングリコールと60℃において混合した。室温まで冷却後、青色プリントインクが得られ、これは紙もしくは繊維材料へのインクジェットプリントインクとして安定性が高かった。